(57)【要約】      （修正有）【課題】組み立てが容易であって、製造コストを低減することができ、さらに、組み立て後はその状態を確実に維持できるペットサークルの組み立て構造を提供する。【解決手段】枠体２０と、枠体に支持される側面部材３０と、を有するペットサークルの組み立て構造であって、側面部材は、少なくとも一部の端部を、枠体に設けた凹部内に保持された中空の固定部材４０内に押入することによって、固定部材を介して枠体に固定される。固定部材の側面には、外方へ突出する突起４１が設けられ、突起は、固定部材の一端から他端に向かうにつれて外径が大きくなるように形成されており、固定部材は、一端側が奥側に配置されるように凹部内に押入される。【選択図】図４
2008118935.tif 000002
【特許請求の範囲】
【請求項１】
枠体と、前記枠体に支持される側面部材と、を有するペットサークルの組み立て構造であって、
前記側面部材は、少なくとも一部の端部を、前記枠体に設けた凹部内に保持された中空の固定部材内に押入することによって、前記固定部材を介して前記枠体に固定されること
を特徴とする組み立て構造。
【請求項２】
前記固定部材の側面には、外方へ突出する突起が設けられていることを特徴とする請求項１に記載の組み立て構造。
【請求項３】
前記突起は、前記固定部材の一端から他端に向かうにつれて外径が大きくなるように形成されており、前記固定部材は、前記一端側が奥側に配置されるように前記凹部内に押入されることを特徴とする請求項２に記載の組み立て構造。
【請求項４】
前記突起は複数設けられていることを特徴とする請求項２又は請求項３に記載の組み立て構造。
【請求項５】
前記固定部材の内面には、内方へ突出する嵌合突起、又は嵌合溝が形成され、
前記固定部材内に押入される前記側面部材の前記端部には、前記嵌合突起が嵌入可能な嵌合溝、又は前記嵌合溝へ嵌入可能な嵌合突起が形成されており、
前記凹部に保持された前記固定部材内に前記側面部材の前記端部を押入するとともに、前記嵌合突起を前記嵌合溝に嵌入することによって前記側面部材を前記枠体に固定することを特徴とする請求項１乃至請求項４のうち、いずれか１に記載の組み立て構造。
【発明の詳細な説明】
【技術分野】
【０００１】
本発明は、室内でペットを飼う場合に用いるペットサークルの組み立て構造に関する。
【背景技術】
【０００２】
従来のペットサークルとしては、特許文献１に記載のようなものがある。このペットサークルでは、上下のフレームにより複数の棒状の部材（線材）の両端を支持することにより、ケージ状のペットサークルを構成していた。
【０００３】
【特許文献１】特開２００１−２０７６９２号公報
【特許文献２】意匠登録第１０６３２５８号公報
【発明の開示】
【発明が解決しようとする課題】
【０００４】
しかしながら、上述のペットサークルでは、棒状の部材の一端を上側フレームに係止する一方、他端を下側フレームにボルト固定する構成としていたため、構造が複雑であって、組み立てに多くの時間を要し、製造コストの上昇につながっていた。また、上端の係止部分については、例えばペットサークル内のペットが衝突することにより、係止が解除されてしまうおそれもあった。
【０００５】
そこで本発明は、組み立てが容易であって、製造コストを低減することができ、さらに、組み立て後はその状態を確実に維持できるペットサークルの組み立て構造を提供することを目的とする。
【課題を解決するための手段】
【０００６】
上記課題を解決するために、本発明の組み立て構造は、枠体と、枠体に支持される側面部材と、を有するペットサークルの組み立て構造であって、側面部材は、少なくとも一部の端部を、枠体に設けた凹部内に保持された中空の固定部材内に押入することによって、固定部材を介して枠体に固定されることを特徴とする。
【０００７】
本発明の組み立て構造において、固定部材の側面には、外方へ突出する突起が設けられていることを特徴とする。
【０００８】
本発明の組み立て構造において、突起は、固定部材の一端から他端に向かうにつれて外径が大きくなるように形成されており、固定部材は、一端側が奥側に配置されるように凹部内に押入されることを特徴とする。
【０００９】
本発明の組み立て構造において、突起は複数設けられていることを特徴とする。
【００１０】
本発明の組み立て構造において、固定部材の内面には、内方へ突出する嵌合突起、又は嵌合溝が形成され、固定部材内に押入される側面部材の端部には、嵌合突起が嵌入可能な嵌合溝、又は嵌合溝へ嵌入可能な嵌合突起が形成されており、凹部に保持された固定部材内に側面部材の端部を押入するとともに、嵌合突起を嵌合溝に嵌入することによって側面部材を枠体に固定することを特徴とする。
【発明の効果】
【００１１】
本発明によると、側面部材の少なくとも一部の端部を、枠体に設けた凹部内に保持された中空の固定部材内に押入することによって、側面部材を固定部材を介して枠体に固定する構成としたため、組み立てが容易となり、製造コストを低減することができる。さらに、側面部材を枠体に対してより確実に固定することができるため、組み立て後に固定状態を確実に維持することができる。
【発明を実施するための最良の形態】
【００１２】
以下、本発明にかかる実施形態を図面を参照しつつ詳しく説明する。ここで、図１は、本実施形態に係るペットサークル１０の構成を示す斜視図、図２は、本実施形態に係る上側フレーム２１及び下側フレーム２３の第１部材２１ａ、２３ａが線状部材３０によって互いに連結された状態を示す側面図、図３は、本実施形態に係る上側フレーム２１及び下側フレーム２３の第２部材２１ｂ、２３ｂが線状部材３０によって互いに連結された状態を示す正面図である。
【００１３】
図１に示すように、本実施形態にかかるペットサークル１０は、上側フレーム２１及び下側フレーム２３を有する枠体２０と、枠体２０に支持される側面部材としての線状部材３０と、を備える。線状部材３０は、少なくとも一部の端部を、枠体２０に設けた凹部２１ｃ、２３ｃ内に保持された中空の固定部材４０内に押入することによって、固定部材４０を介して枠体２０に固定される。このような構成とすることにより、組み立てが容易となって製造コストを低減することができ、さらに、組み立て後の固定状態を確実に維持することができる。
【００１４】
図１〜図３に示す枠体２０は、平面視で略同一の矩形枠状の上側フレーム（第１フレーム）２１及び下側フレーム（第２フレーム）２３を備える。上側フレーム２１及び下側フレーム２３は、プラスチックによる成形品としたり、又は木で作ることもできる。上側フレーム２１と下側フレーム２３は、後述のように、支持部材２５によって互いに連結されて中空の直方体形状とされるとともに、線状部材３０を保持してペットサークル１０を形成する。なお、本実施形態では、上側フレーム２１及び下側フレーム２３をそれぞれ水平面に沿って配置するが、それ以外の面（例えば鉛直面）に沿って配置することもできる。
【００１５】
上側フレーム２１は、互いに平行に配置される２本の略角柱状の第１部材２１ａと、２本の第１部材２１ａの両端をそれぞれ連結するように、水平面内において第１部材２１ａに直交する方向に、かつ、互いに平行に配置される２本の略角柱状の第２部材２１ｂと、を備える。第１部材２１ａ及び第２部材２１ｂの長手方向端部には、互いに連結されたときに連通し、支持部材２５を挿通可能な連結孔部２４ａ、２４ｂが形成されている（図５参照）。なお、連結孔部２４ａ、２４ｂは、第１部材２１ａ及び第２部材２１ｂの長手方向端部に直接的に形成されていても良いし、図５に示すように、第１部材２１ａ及び第２部材２１ｂの長手方向端部に嵌められた別体のキャップ状の連結部材上に形成されていてもよい。
【００１６】
一方、下側フレーム２３は、互いに平行に配置される２本の略角柱状の第１部材２３ａと、２本の第１部材２３ａの両端をそれぞれ連結するように、水平面内において第１部材２３ａに直交する方向に、かつ、互いに平行に配置される２本の略角柱状の第２部材２３ｂと、を備える。第１部材２３ａ及び第２部材２３ｂの長手方向端部には、互いに連結されたときに連通し、支持部材２５を挿通可能な連結孔部２６ａ、２６ｂが形成されている（図５参照）。なお、連結孔部２６ｂには、第１部材２３ａに挿通された支持部材２５の先端をネジ止めができるようにネジ穴が螺刻されていてもよく、その場合には支持部材２５の先端にもネジ部を螺刻する。連結孔部２６ａ、２６ｂは、第１部材２３ａ及び第２部材２３ｂの長手方向端部に直接的に形成されていても良いし、図５に示すように、第１部材２３ａ及び第２部材２１３の長手方向端部に嵌められた別体のキャップ状の連結部材上に形成されていてもよい。
【００１７】
なお、本実施形態では、上側フレーム２１及び下側フレーム２３をそれぞれ水平面に沿って配置するが、それ以外の面（例えば鉛直面）に沿って配置することにより、例えば、側面部材としての線状部材３０の水平方向端部が枠体（第１フレーム及び第２フレーム）に連結されるように構成しても良い。
【００１８】
上側フレーム２１、下側フレーム２３には、固定部材４０を収容する凹部２１ｃ、２３ｃが穿設されている。凹部２１ｃ、２３ｃは、枠体２０を組み立てたときに、互いに対応する位置に設けられている。すなわち、固定部材４０を介して線状部材３０の両端が凹部２１ｃ、２３ｃにそれぞれ押入されたときに、線状部材３０が鉛直方向に延びるように、凹部２１ｃ、２３ｃは対応する位置に配置される。
【００１９】
上側フレーム２１、下側フレーム２３に支持される線状部材（側面部材）３０は、金属（例えば、鉄、ステンレス鋼）により形成された円柱状部材である。図４（ａ）に示すように、この線状部材３０の両端部３０Ｔには、先端から所定長さ離れた所定位置に、周方向に沿って嵌合溝３３が凹設されている。嵌合溝３３を設ける位置（所定位置）は、固定部材４０の奥まで線状部材３０を押入したときに固定部材４０の嵌合突起４３の位置に対応する位置である。なお、この線状部材３０の外径、本数、配置間隔はペットサークルの仕様に応じて適宜設定することができる。また、線状部材３０は、中空、中実のいずれの形態でもよく、また、長板状とすることもできる。ここで、図４（ａ）は、本実施形態に係る線状部材３０が固定部材４０を介して凹部２１ｃ、２３ｃ内に押入される状態を示す斜視図、（ｂ）は、本実施形態に係る線状部材３０と固定部材４０の構成を示す上下方向（図１〜図３の上下方向）断面図、（ｃ）は、変形例に係る線状部材１３０と固定部材１４０の構成を示す上下方向断面図である。
【００２０】
図４に示すように、線状部材３０の端部３０Ｔが押入される固定部材４０は、中空の略円筒状部材である。この固定部材４０は、例えば、ＡＢＳ樹脂、鉄、ポリプロピレン、又はゴムによる成形や、アルミニウム又は亜鉛合金のダイカスト（圧入）により形成し、その形状は、図４に示すように貫通していても良いし、有底構造としてもよい。
【００２１】
固定部材４０の外面には、外方へ突出する突起４１が周方向に沿って設けられている。突起４１は、長手方向両端のうち、凹部２１ｃ、２３ｃの奥側に配置される一端から他端に向かうにつれて外径が大きくなるように形成されている。この突起４１は、固定部材４０の長手方向において、複数設けられている。なお、突起４１は、凹部２１ｃ、２３ｃによって保持可能であれば適宜任意の形状を採択することができ、例えば半球状とすることもできる。
【００２２】
固定部材４０の内面には、内方へ突出する嵌合突起４３が周方向に沿って設けられている。固定部材４０内において嵌合突起４３を設ける位置は、固定部材４０を凹部２１ｃ、２３ｃに押入したとき、嵌合突起４３が凹部２１ｃ、２３ｃ内にあるような位置である。
【００２３】
このように構成した固定部材４０を凹部２１ｃ、２３ｃに押入すると、凹部２１ｃ、２３ｃと突起４１との摩擦により、固定部材４０は凹部２１ｃ、２３ｃから抜け止めされた状態で保持される。さらに、凹部２１ｃ、２３ｃに保持された固定部材４０内に線状部材３０を押入していくと、まず端部３０Ｔの先端側部分が嵌合突起４３に当接する。この状態からさらに線状部材３０を固定部材４０内へ押入すると、端部３０Ｔは、嵌合突起４３を押し広げつつ奥側へ進み、端部３０Ｔの先端が最も奥に到達したときに、嵌合溝３３内に嵌合突起４３が嵌入する。こうして嵌合溝３３と嵌合突起４３が互いに嵌合することにより、線状部材３０は固定部材４０から抜け止めされて固定される。以上の工程をすべての線状部材３０について行うと、図２及び図３に示すように、上側フレーム２１から下側フレーム２３へ、又は、下側フレーム２３から上側フレーム２１へ、線状部材３０が延設された状態となる。なお、固定部材４０を、弾性を備えた部材で構成した場合は、その弾性力によって、凹部２１ｃ、２３ｃの内面との接触面積が多くなって強く保持され、また、線状部材３０も固定部材４０から強い弾性力を受けて、より確実に保持される。
【００２４】
なお、線状部材３０及び固定部材４０に代えて、図４（ｃ）に示すような円柱状の線状部材１３０及び略円筒状の固定部材１４０を用いることもできる。線状部材１３０においては、端部１３０Ｔに嵌合突起１３３が周方向に沿って設けられている。固定部材１４０においては、その外面に、固定部材４０の突起４１と同様に突起１４１が形成されている。さらに、固定部材１４０の内面には、嵌合突起１３３が嵌入する嵌合溝１４３が周方向に沿って凹設されている。線状部材１３０及び固定部材１４０は、線状部材３０及び固定部材４０と同様に、互いに固定され、また、固定部材１４０は凹部２１ｃ、２３ｃに保持される。すなわち、固定部材１４０内に線状部材１３０を押入していき、端部１３０Ｔの先端が最も奥に到達したときに、嵌合溝１４３内に嵌合突起１３３が嵌入する。こうして嵌合突起１３３と嵌合溝１４３が互いに嵌合することにより、線状部材１３０は固定部材１４０から抜け止められて固定される。
【００２５】
図２及び図３に示すように線状部材３０を保持した上側フレーム２１、下側フレーム２３においては、それぞれ矩形状をなすように端部を互いに組んだ状態で、上側フレーム２１の上方から、連結孔部２４ａ、２４ｂ、２６ａ、２６ｂの内に支持部材２５が挿通されることによって（図５）、ケージ状に組み立てることができる。ここで図５は、本実施形態に係る第１部材２１ａ、２３ａ及び第２部材２１ｂ、２３ｂに支持部材２５を挿通する状態を示す斜視図である。
【００２６】
なお、固定部材４０は、対応する凹部２１ｃ、２３ｃの少なくとも一方に押入されていればよく、その一方のみに固定部材４０を保持する場合の他方の凹部については、固定部材４０を介することなく線状部材３０を挿入すればよい。
【００２７】
つづいて、図１、図３、及び図６を参照しつつ、ペットが出入りするための扉体３５について説明する。ここで図６は、本実施形態に係る扉体３５と、線状部材３０、上側フレーム２１、及び下側フレーム２３との関係を示す図であって、（ａ）は側面図、（ｂ）は図３のＶＩＢ−ＶＩＢ線における断面図、（ｃ）は図３のＶＩＣ−ＶＩＣ線における断面図である。扉体３５は、複数の線状部材３０で構成される側面に沿ってスライド移動可能な引き戸タイプのものである。
【００２８】
従来のペットサークルにおいては、ペットの出入り口として外開き又は内開きの扉が設けられていた。しかし、このような扉構造では、扉の開閉操作を可能とするために、外開きの場合は扉の前に、内開きの場合は扉の内側に、それぞれスペースを設ける必要があった。また、特に外開きの場合には、ペットサークル内のペットが扉に衝突したときに、その衝撃によって扉が開いてしまうおそれがあった。このような問題に鑑みて、本発明に係る本実施形態においては、引き戸タイプの扉体３５を設けることとしている。これにより、扉の開閉のために大きなスペースを用意する必要がなくなった。また、扉体３５にペットが衝突したとしても、衝突方向と引き戸の移動方向が直交することから、衝撃によって扉が開くのを防ぐことができる。
【００２９】
一方、ペットサークル以外の分野において用いられる引き戸タイプの扉では、引き戸の開閉を案内するための案内溝が上下に設けられており、扉はこの溝内を摺動しつつ開閉される。しかし、このような案内溝のうち下側のものは、扉を使用していくにつれて埃その他のゴミがたまりやすく、それによって引き戸の開閉動作がスムーズにできなくなる。さらに、このような案内溝を用いる引き戸タイプの扉をペットサークルに使用すると、埃のほかに糞尿その他のペットから出る異物が案内溝にたまりやすくなり、ペットサークルが不衛生になるおそれがある。これに対して、本発明に係る本実施形態においては、扉体３５の上端を側面部材３０（特に補助部材３１）に係止するとともに、扉体３５の下部（特に規制部材３６の第２辺３６ｂ）が、側面部材の水平方向に設けた平行する線状の補助部材（特に第２補助部材３８）の間に入り込むように構成した。これによって、少なくとも下側の案内溝がない構成としたことから、糞尿その他の異物がたまって不衛生となることを防止することができる。
【００３０】
扉体３５は、線状部材３０の延設方向に沿って延設される複数の線状部３５ｂと、線状部３５ｂと直交するように、複数の線状部３５ｂの上端を連結する連結部３５ａと、線状部３５ｂと直交するように、複数の線状部３５ｂの下端を連結する第２連結部３５ｃと、を備える。
【００３１】
図３、図４（ａ）、（ｂ）に示すように、線状部材３０の上部には、線状部材３０と直交するように線状部材３０と同じ材質の棒状の補助部材３１が溶接されている。この補助部材３１には、側面形状が略Ｌ字形の案内部材３２の一方の端部が溶接されている。案内部材３２は側面視略中央で屈曲されて線状部材３０に沿う方向に向けられているとともに、その先端の案内部３２ａはさらに屈曲されて補助部材３１と平行な方向に延びている。案内部３２ａの側面には、案内部３２ａ上を摺動可能に嵌合溝３３が載置されている。嵌合溝３３は、その外側に配置され、かつ、側面視、下方が開いたコ字状の挟持部材３４の内面に保持されている。一方、挟持部材３４の内側において、嵌合溝３３には扉体３５の連結部３５ａが係止されており、この連結部３５ａは挟持部材３４と嵌合溝３３とで保持されている。このような構成により、線状部材３０に直交する方向に延びる案内部３２ａ上を一体となって移動する嵌合溝３３と挟持部材３４に、連結部３５ａが挟持された扉体３５は、案内部３２ａに沿ってスライド移動が可能となり、これにより扉体３５の開閉が行われる。
【００３２】
一方、図３、図４（ａ）、（ｃ）に示すように、線状部材３０の下部には、補助部材３１、案内部３２ａに平行に線状部材３０と同じ材質の棒状の第２補助部材３８が２本平行に溶接されている（図５参照）。扉体３５の第２連結部３５ｃには、第２連結部３５ｃと交差するようにして略逆Ｌ字状の規制部材３６が溶接されている。更に詳しくは、規制部材３６は、線状部材３０に近づく方向に略水平に延設される第１辺３６ａと、前記第１辺から略垂直に線状部材３０と略平行する第２辺３６ｂとを有し、第１辺が第２連結部３５ｃに溶接されるとともに、第２辺３６ｂが、前記２本の第２補助部材３８の間に上方から入り込んでいる。これによって、扉体３５の下部（規制部材３６の第２辺３６ｂ）が前記２本の第２補助部材３８の間をスライドするため、扉体３５のスムーズな開閉動作を実現することができる。
【００３３】
また、規制部材３６の第２辺３６ｂには、第２補助部材３８の下側から側面視逆Ｔ字状の支持部材３７が、少なくとも１箇所に取り付けられている。支持部材３７は、円盤状の基部３７ａと、基部３７ａの中心部分から延出する筒状部３７ｂとを有し、筒状部３７ｂを規制部材３６の第２辺３６ｂに取り付け、さらに、円盤状の基部３７ａが前記２本の第２補助部材３８の下方に当接するようになっている。これによって、前記２本の第２補助部材３８の間をがたつきを防止してスライドするため、扉体３５のよりスムーズな開閉動作を実現することができる。
【００３４】
本実施形態によれば、扉体３５の下部（規制部材３６の第２辺３６ｂ）が前記２本の第２補助部材３８の間をスライドするので、扉体３５を案内する案内溝を設ける必要が泣く、ペットの糞尿その他の異物がたまりにくくなるとともに、開閉動作にともなって扉体３５が上下に振れたとしても規制部材３６が第２連結部３５ｃの上方への振れを規制するため、安定した開閉動作を実現することができる。
【００３５】
また、扉体３５は、図１、図７及び図８に示すロック機構５０を備える。ここで図７は、本実施形態に係るロック機構５０の構成を示す斜視図である。図８（ａ）は、自然状態におけるロック機構５０の構成を示す、図７のＶＩＩＩＡ−ＶＩＩＩＡ線における断面図、図８（ｂ）は保持部材５１に負荷をかけた状態におけるロック機構の構成を示す、図７のＶＩＩＩＡ−ＶＩＩＩＡ線における断面図、図８（ｃ）は自然状態におけるロック機構の構成を示す、図７のＶＩＩＩＣ−ＶＩＩＩＣ線における断面図、である。
【００３６】
ロック機構５０は、複数の線状部３５ｂのうち最も外側の２本の線状部３５ｂ１、３５ｂ２（図３）が内部に挿通される回動部材５１、及び、回動部材５１との間で、複数の線状部材３０のうち任意の線状部材３０ａ（図１及び図３では、最も外側の線状部材）の係止及び係止解除を選択可能な保持部材５５、を備える。保持部材５５は、回動部材５１の中央に凹設された収容部５１ａ内に配置され、回動部材５１に固定された回動軸６２（図８）の周りを回動する。回動部材５１には、回動軸６２と平行な方向に沿って、線状部３５ｂ１、３５ｂ２が挿通される貫通孔５２、５３が設けられている。
【００３７】
保持部材５５の本体平面５７の一端には、本体平面５７から上方に（回動部材５１から離れる方向に）突出する操作部５６が設けられ、他端には、いったん下方に突出した後に操作部５６側へ屈曲した線状部材係止部５８が設けられている。回動軸６２は、水平方向において、操作部５６と線状部材係止部５８の略中間位置にある。操作部５６と収容部５１ａの底面５４との間には、本体平面５７と底面５４とが平行となるように保持部材５５を付勢する弾性部材６０（板バネ）が配置されている。
【００３８】
以上の構成のロック機構５０においては、操作部５６に力をかけない自然状態では、線状部材係止部５８と回動部材５１との間に外側の線状部材３０ａが係止保持される。扉体３５の線状部３５ｂ１、３５ｂ２が回動部材５１に常に保持されていることから、線状部材３０と扉体３５はロックされた状態にある（図８（ａ）、（ｃ））。これに対して、回動部材５１に近づけるように操作部５６を押すと、保持部材５５は回動軸６２の周りを回動し（図８（ａ）の矢印方向）、線状部材係止部５８は上方へ移動して保持部材５５から離間するため、線状部材係止部５８による外側の線状部材３０ａの係止は解除され、外側の線状部材３０ａはロック機構５０から外れる。これにより、線状部材３０と扉体３５とのロック状態は解除され、扉体３５は開閉可能な状態となる。ここで、操作部５６へ加えていた力をゼロにすると、弾性部材６０の弾性力によって、保持部材５５は、本体平面５７と底面５４とが平行となるような自然状態にもどる。このときに、外側の線状部材３０ａを線状部材係止部５８と回動部材５１との間に保持させていた場合はロック状態にもどり、外側の線状部材３０ａが線状部材係止部５８から外れた状態のままにしておいた場合はロック解除状態が維持される。
【００３９】
本発明について上記実施形態を参照しつつ説明したが、本発明は上記実施形態に限定されるものではなく、改良の目的または本発明の思想の範囲内において改良または変更が可能である。例えば、前記実施の形態においては、側面部材として線状部材を採択したが、側面部材の一部の端部が固定部材に押入され固定されていればよいため、全体を略面状とし四隅に突出部を設け、その突出部が固定部材に押入され固定されるようにしてもよく、側面部材は線状部材以外のものを適宜採択可能である。
【図面の簡単な説明】
【００４０】
【図１】本発明の実施形態に係るペットサークルの構成を示す斜視図である。
【図２】本発明の実施形態に係る上側及び下側フレームの第１部材が線状部材によって互いに連結された状態を示す側面図である。
【図３】本発明の実施形態に係る上側及び下側フレームの第２部材が線状部材によって互いに連結された状態を示す正面図である。
【図４】（ａ）は本発明の実施形態に係る線状部材が固定部材を介して凹部内に押入される状態を示す斜視図、（ｂ）は本発明の実施形態に係る線状部材と固定部材の構成を示す上下方向断面図、（ｃ）は変形例に係る線状部材と固定部材の構成を示す上下方向断面図である。
【図５】本発明の実施形態に係る第１部材及び第２部材に支持部材を挿通する状態を示す斜視図である。
【図６】本発明の実施形態に係る扉体と、線状部材、上側フレーム、及び下側フレームとの関係を示す図であって、（ａ）は側面図、（ｂ）は図３のＶＩＢ−ＶＩＢ線における断面図、（ｃ）は図３のＶＩＣ−ＶＩＣ線における断面図である。
【図７】本発明の実施形態に係るロック機構の構成を示す斜視図である。
【図８】（ａ）は自然状態におけるロック機構の構成を示す、図７のＶＩＩＩＡ−ＶＩＩＩＡ線における断面図、（ｂ）は保持部材に負荷をかけた状態におけるロック機構の構成を示す、図７のＶＩＩＩＡ−ＶＩＩＩＡ線における断面図、（ｃ）は自然状態におけるロック機構の構成を示す、図７のＶＩＩＩＣ−ＶＩＩＩＣ線における断面図、である。
【符号の説明】
【００４１】
１０    ペットサークル
２０    枠体
２１    上側フレーム
２１ｃ  凹部
２３    下側フレーム
２３ｃ  凹部
２５    支持部材
３０    線状部材（側面部材）
３０ａ  線状部材（側面部材）
３０Ｔ  端部
３３    嵌合溝
３５    扉体
４０    固定部材
４１    突起
４３    嵌合突起
５０    ロック機構
１３０  線状部材
１３０Ｔ  端部
１３３  嵌合突起
１４０  固定部材
１４３  嵌合溝
【図１】
2008118935.tif 000003
【図２】
2008118935.tif 000004
【図３】
2008118935.tif 000005
【図４】
2008118935.tif 000006
【図５】
2008118935.tif 000007
【図６】
2008118935.tif 000008
【図７】
2008118935.tif 000009
【図８】
2008118935.tif 000010